(57)【要約】【課題】    従来の止水パネルに、係止突起と係止孔を備え、対峙する止水パネル、及び／又は、方立てに、係止突起と係止孔を備えた構成では、正確性が要求されることと、時間的な縛りとがあって、緊急時の対応とか、又は差し込み挿入固止後の安定性に問題がある。【解決手段】    本発明は、建物の開口部の方立てに取付ける止水パネルの取付け装置で、方立てに係止孔を、止水パネルに、ラッチ機構及び係止体をそれぞれ設け、係止孔にラッチ機構のラッチ、及び係止体とその爪片を差し込み支持する。よって、止水パネルを方立てに、差し込み、かつ自然な落し込みを利用し、簡易に固定する。特段の操作が必要なく、差し込み、かつ落し込み操作で、他の所作がなく、取付作業が完了できる。【選択図】図１
2020169441.tif 000002
【特許請求の範囲】
【請求項１】
建物、構造物、構築物の何れかの出入口、又は水路、トンネルの何れかの開口部に立設された対の方立てと、この方立ての第１面に、対峙する第４面を備える止水パネルを支持する止水パネルの取付け装置であって、
前記止水パネルには、前記第４面と直交する側面に、少なくとも、一個のラッチ機構と、少なくとも、一つ、又は複数の係止体を設けるとともに、前記第１面には、前記ラッチ機構及び前記係止体に対応する複数の係止孔を形成し、
前記一つ、又は複数の係止体の差込側の自由端には、引掛け可能な爪片を形成し、この爪片は、この爪片に対応する前記係止孔の係止部に摺接可能とするとともに、この摺接を介して、当該係止体、及び前記ラッチ機構は、前記方立ての前記係止孔（空間）及び前記第１面（側面）に差し込み係止支持され、かつ前記係止体の下辺、及び前記ラッチ機構の下端は、前記係止孔の前記第１面の係止部に載架支持されることを特徴とする止水パネルの取付け装置。
【請求項２】
前記ラッチ機構のラッチは、このラッチ機構のケースに、前進後退可能に設けられるとともに、このラッチは、このラッチに対応する前記係止孔の上、又は下で、かつ前記第１面に当接されることで、後退可能とし、この後退時に、前記係止体の前記爪片は、前記係止孔に差込まれることを特徴とした請求項１に記載の止水パネルの取付け装置。
【請求項３】
前記ラッチ機構と、前記係止体は、前記第４面と直交する前記側面の適所に、それぞれ設けられるとともに、前記第１面には、このラッチ機構と、この係止体が設けられた前記適所に、相関する位置に、前記係止孔を備えることを特徴とした請求項１に記載の止水パネルの取付け装置。
【請求項４】
前記ラッチの、前記係止孔の上の前記第１面に当接時に、前記係止体の前記爪片は、前記係止孔に差し込まれるとともに、前記止水パネルの下面に設けた止水板（水密ゴム）は、床面に当接可能であって、
前記ラッチの後退時には、前記爪片の係止側が、前記係止孔の前記係止部に添接し、かつ前記止水パネルが下方に移行可能となるとともに、前記止水パネルが押圧形成可能であって、
かつこの止水パネルの押圧形成時に、前記ラッチが前進し（復帰し）、このラッチの下面は、前記係止孔の前記係止部に架設可能であることを特徴とした請求項１に記載の止水パネルの取付け装置。
【請求項５】
前記爪片は、前記係止側が下に向かって細い傾斜片辺であることを特徴とした請求項４に記載の止水パネルの取付け装置。
【請求項６】
前記止水パネルは、長手方向の両端を切り落とした形状であって、
この止水パネルは、前後板の二枚の止水パネル材として、この二枚の止水パネル材に設けたブラケットを利用し、前記ラッチ機構、及び／又は、前記係止体を取付け可能としたことを特徴とする請求項１〜請求項５の何れか一項に記載の止水パネルの取付け装置。
【請求項７】
前記係止体は、クサビとして役立つ構成を備えることを特徴とする請求項１〜請求項６の何れか一項に記載の止水パネルの取付け装置。
【請求項８】
前記ラッチ機構には、前記ラッチの前後動を規制するロック機構を備えることを特徴とする請求項１〜請求項７の何れか一項に記載の止水パネルの取付け装置。
【発明の詳細な説明】
【技術分野】
【０００１】
本発明は、建物、構造物、構築物の何れかの出入口、又は水路、トンネルの何れかの開口部に立設される止水パネル（止水扉、遮水板）の取付け装置に関する。
【背景技術】
【０００２】
止水パネルは、人の往来、物の取扱い等における出入口、又は水、海水の流れ、物流の流れ等の開口部に取付けられる。この取付け方法として、方立てに設けた溝に、差し込み支持する差し込み式（持上げ落し込み式）とか、簡易な取付け方式として、方立ての水圧側より差し込み支持する差し込み式（差し込み式）が挙げられる。
【０００３】
落し込み方式は、例えば、特開２０１６−１９１２３６号公報記載の発明があり、止水パネルを持ち上げ、方立ての上から落し込むものであり、通常は、落し込みと同時、又は後処理等で、ラッチ機構の操作を行う構成である。しかしながら、落し込みと、ラッチ機構の操作等が必要であり、面倒である。
【０００４】
その改良として、前述した、差し込み式が考えられる。例えば、特開２０１６−５３２４３号公報と、軌を一にする特開２０１６−１８６２０８号公報記載の発明があり、方立て、及び／又は、止水パネルに、係止突起と係止孔を備え、対峙する止水パネル、及び／又は、方立てに、係止突起と係止孔を備えた構成であって、止水パネルを、やや持上げて保持し、係止突起／係止孔を、係止嵌合し、かつ止水パネルを引下げて固定することを特徴とする。しかし、係止孔の形状変化、例えば、円孔部（丸孔）と長穴部（溝孔）の形態を採用する。従って、係止孔に対し、係止突起の差し込み、かつ挿入固止であり、差し込み挿入固止に、例えば、正確性が要求されることと、時間的な縛りとがあって、緊急時の対応とか、又は差し込み挿入固止後の安定性に問題がある。
【０００５】
【特許文献１】特開２０１６−１９１２３６号公報
【特許文献２】特開２０１６−５３２４３号公報
【特許文献３】特開２０１６−１８６２０８号公報
【発明の概要】
【発明が解決しようとする課題】
【０００６】
文献（１）では、前述の如く、落し込みと同時、又は後処理等で、ラッチ機構を行う構成である。従って、手間が掛かる問題がある。
【０００７】
また、  文献（２）、（３）では、前述の如く、係止孔に対し、係止突起の差し込み、かつ挿入固止であり、差し込み挿入固止に、例えば、正確性が要求されること、又は時間的な縛りがあって、緊急時の対応とか、又は差し込み挿入固止後の安定性に問題がある。
【課題を解決するための手段】
【０００８】
前記止水パネルを、方立ての第１面よりストレートに差し込み支持した後に、爪片の傾斜片辺の形状を利用し、順次、係止孔の空間へ差し込み、かつ止水パネルの下方への移行で、係止体、及びラッチ機構は、方立ての係止孔（空間）及び第１面（側面）に差し込み係止支持、かつ係止体の下辺、及びラッチ機構の下端は、係止孔の第１面の係止部に載架支持される構成であって、特段の操作を必要とすることなく、止水パネルを方立てに、差し込み、かつ落し込み(自然な落し込み)を利用し、簡易に固定することと、又はこの差し込み、かつ落し込み操作で、原則として、その他の所作をすることなく、取付け作業が完了する取付け装置を提案する。
【０００９】
その好ましい、一例が、請求項１−８である。
【発明の効果】
【００１０】
請求項１の発明では、建物、構造物、構築物の何れかの出入口、又は水路、トンネルの何れかの開口部に立設された対の方立てと、方立ての第１面に、対峙する第４面を備える止水パネルを支持する止水パネルの取付け装置であって、
止水パネルには、第４面と直交する側面に、少なくとも、一個のラッチ機構と、少なくとも、一つ、又は複数の係止体を設けるとともに、第１面には、ラッチ機構及び係止体に対応する複数の係止孔を形成し、
一つ、又は複数の係止体の差込側の自由端には、引掛け可能な爪片を形成し、爪片は、爪片に対応する係止孔の係止部に摺接可能とするとともに、この摺接を介して、係止体、及びラッチ機構は、方立ての係止孔（空間）及び第１面（側面）に差し込み係止支持され、かつ係止体の下辺、及びラッチ機構の下端は、係止孔の第１面の係止部に載架支持されることを特徴とする止水パネルの取付け装置でもよい。
【００１１】
請求項１では、止水パネルを、方立ての第１面よりストレート（一例である）に差し込み支持することで、特段の操作を必要とすることなく、止水パネルを方立てに、差し込み、かつ自然な落し込みを利用し、簡易に固定することと、又はこの差し込み、かつ落し込み操作で、原則として、その他の所作をすることなく、取付作業が完了できる特徴がある。
【００１２】
請求項２の発明では、ラッチ機構のラッチは、ラッチ機構のケースに、前進後退可能に設けられるとともに、ラッチは、ラッチに対応する係止孔の上、又は下で、かつ第１面に当接されることで、後退可能とし、後退時に、係止体の爪片は、係止孔に差込まれることを特徴とした請求項１に記載の止水パネルの取付け装置でもよい。
【００１３】
請求項２では、請求項１の特徴を達成できる。また、この特徴を達成できる止水パネルの構造と、方立ての係止孔の構造を提供できる。
【００１４】
請求項３の発明では、ラッチ機構と、係止体は、第４面と直交する側面の適所に、それぞれ設けられるとともに、第１面には、ラッチ機構と、係止体が設けられた適所に、相関する位置に、係止孔を備えることを特徴とした請求項１に記載の止水パネルの取付け装置でもよい。
【００１５】
請求項３では、請求項１の特徴を達成できる。また、この特徴を達成できる止水パネルのラッチ機構と係止体の構造を、また、方立ての係止孔の構造、及びこのラッチ機構と係止体と、係止孔の位置関係の構造を提供できる。
【００１６】
請求項４の発明では、ラッチの、係止孔の上の第１面に当接時に、係止体の爪片は、係止孔に差し込まれるとともに、止水パネルの下面に設けた止水板（水密ゴム）は、床面に当接可能であって、
ラッチの後退時には、爪片の係止側が、係止孔の係止部に添接し、かつ止水パネルが下方に移行可能となるとともに、止水パネルが押圧形成可能であって、
かつ止水パネルの押圧形成時に、ラッチが前進し（復帰し）、ラッチの下面は、係止孔の係止部に架設可能であることを特徴とした請求項１に記載の止水パネルの取付け装置でもよい。
【００１７】
請求項４では、請求項１の特徴を達成できる。また、この特徴を達成できる止水パネルのラッチ機構と係止体の構造を、また、方立ての係止孔の構造を提供できる。
【００１８】
請求項５の発明では、爪片は、係止側が下に向かって細い傾斜片辺であることを特徴とした請求項４に記載の止水パネルの取付け装置でもよい。
【００１９】
請求項５では、請求項１の特徴を達成できる。また、この特徴を達成できる爪片の構造を提供できる。
【００２０】
請求項６の発明では、止水パネルは、長手方向の両端を切り落とした形状であって、
止水パネルは、前後板の二枚の止水パネル材として、二枚の止水パネル材に設けたブラケットを利用し、ラッチ機構、及び／又は、係止体を取付け可能としたことを特徴とする請求項１〜請求項５の何れか一項に記載の止水パネルの取付け装置でもよい。
【００２１】
請求項６では、請求項１の特徴を達成できる。また、この特徴を達成できる、最適な、止水パネルに付設するラッチ機構と係止体の取付け構造を提案できる。
【００２２】
請求項７の発明では、係止体は、クサビとして役立つ構成を備えることを特徴とする請求項１〜請求項６の何れか一項に記載の止水パネルの取付け装置でもよい。
【００２３】
請求項７では、請求項１の特徴を達成できる。また、この特徴を達成できる、最適な、係止体の構造を提案できる。
【００２４】
請求項８の発明では、ラッチ機構には、ラッチの前後動を規制するロック機構を備えることを特徴とする請求項１〜請求項６の何れか一項に記載の止水パネルの取付け装置でもよい。
【００２５】
請求項８では、請求項１の特徴を達成できる。また、この特徴を達成できる、最適な、ラッチ機構のロック機構の構造を提案できる。
【図面の簡単な説明】
【００２６】
【図１】本発明の第１実施例を示した一部省略の縮尺俯瞰図
【図２】図１を分解して示した図
【図３−１】それぞれの方立てと、一例の止水パネルとの関係を示した模式図であり、既設金物に溶接固定した方立ての図
【図３−２】それぞれの方立てと、一例の止水パネルとの関係を示した模式図であり、壁面に埋込み固定した方立ての図
【図３−３】それぞれの方立てと、一例の止水パネルとの関係を示した模式図であり、後面アンカーに固定した方立ての図
【図４】止水パネルに設けたラッチ、及び係止体の関係を示した模式図であり、（イ）は、正面図、（ロ）は、側面図、（ハ）は、（イ）のＡ−Ａ断面図、（ニ）は、（イ）のＢ−Ｂ断面図、（ホ）は、（イ）のＣ−Ｃ断面図、（へ）は、（イ）のＤ−Ｄ断面図
【図５−１】図４に示した実施例の要部を示した拡大端面斜視図であり、方立てに止水パネルを取付け、最初の連結（結合）状態の図
【図５−２】止水パネルのラッチを拡大した図
【図５−３】ラッチ機構の断面図
【図５−４】方立てと止水パネルの係止体の連結状態の図
【図５−５】方立てと止水パネルの係止体の連結状態の俯瞰した図
【図６】図５−１の状態より、止水パネルを方立てに結合した状態のラッチ、及び係止体との関係を示した模式図であり、側面図を示す
【図７−１】本発明の他の第２実施例を示した一部省略の縮尺俯瞰図
【図７−２】図７−１の止水パネルの端面図
【図８−１】本発明の他の第３実施例を示した一部省略の縮尺俯瞰図
【図８−２】図８−１の止水パネルの端面図
【図９−１】本発明の他の第４実施例を示した一部省略の縮尺俯瞰図
【図９−２】図９−１の止水パネルの端面図
【図１０−１】本発明の他の第５実施例を示した一部省略の縮尺俯瞰図
【図１０−２】図１０−１の止水パネルの端面図
【発明を実施するための形態】
【００２７】
以下、本発明の好ましい、各実施例を説明する。
【００２８】
図１〜図６に示した第１実施例を説明する。
【００２９】
第１実施例において、図中１は止水パネル（止水扉）で、例えば、炭素繊維強化プラスチックとか、発泡アルミ、コア等の軽量素材で構成する。この止水パネル１の長手方向Ｘの第３面２、第４面２ａ（以下、対の構造は、一方の符号のみを記す）には、その一方の第４面２ａより突出するラッチ３、係止体４、５を備える。図中６は方立てであり、この方立て６の、少なくとも、第１面７には、一つ、又は複数のラッチ３と、一つ、又は複数の係止体４、５を差し込み支持する（差し込み、及び／又は、落し込み支持（係止））、孔形態の上段・中段・下段等にある複数個の係止孔８〜１０（この一例では三段であるが一例である）を有する。図中７ａは方立て６の第２面であり、前記第１面７に対峙する面であり、例えば、建造物に取付けられる側である。但し、孔形態の係止孔８〜１０は、後述する、係止体４、５の差し込み箇所の孔は、長孔形で、ラッチ３の差し込み箇所の孔は、方形とする。理由は、係止体４、５の移動を考えての係止孔８〜１０の構造であり、また、ラッチの移動の距離が少なくなることと、差し込み時のガタを少なくすること等にある。
【００３０】
方立て６は、図３−１の既設金物に溶接固定した方立て６とか、図３−２の壁面に埋込み固定した方立て６、又は図３−３の後面アンカーに固定した方立て６の全ての形態に対応可能であり、次のような利点がある。：既設金物（既設の敷金物）がある場合、それをそのまま流用することが可能である。：方立て６は、四角柱の形状で、突起が無いので外観がすっきりする。：緊急時にしか使用しないものなので、使用時以外は人の動線を始めとし、視覚的にも邪魔にならない。：設置は壁面への埋込み固定（壁への埋設）と壁へのアンカー止めの前出し（突出）と、どちらにも対応できる。そして、この前出しは、例えば、４ｃｍ〜１０ｃｍ程度と少ない（望ましくは、６ｃｍ〜８ｃｍ）。さらに、前出し設置であれば、土木工事をほぼせずに施工ができる（勿論、敷金物の止水性をどれだけ高く見るか、客先の判断による）。：止水パネル１は、端部１ｂより外側にラッチ３と係止体４、５を形成する構成とすれは、例えば、止水パネル１の段積みが可能であり、かつ段積みによる、止水パネル１の整理とか、設置箇所等のスペースの有効活用等が図れる。尚、端部１ａ（図示せず）・１ｂは切り落としであって、開口部１００−１ｂ、１００−１ａ（図示せず）・１００−２ｂ、１００−２ａ（図示せず）・１００−３ｂ、１００−３ａ（図示せず）となっており、この開口部には、後述するブラケットがそれぞれ差し込み支持される。
【００３１】
以下、第１実施例に関して説明していく。止水パネル１は、例えば、炭素繊維強化プラスチックとか、発泡アルミ、コア等の軽量素材で、必要により、枠板を設けて補強する。この止水パネル１のそれぞれ前側と後側には、係止体４・５の本体４００・５００、又はラッチ３のラッチ機構３００とに設けたブラケット１１ａ・１１ａ１、１１ｂ・１１ｂ１、１１ｃ・１１ｃ１を有する。そして、前側のブラケット１１ａ・１１ｂ・１１ｃは、止水パネル１の端部１ｂで、かつ第３面２の外面（符号無し）に添接、かつ取付けられており、また、後側の１１ａ１・１１ｂ１・１１ｃ１は、止水パネル１の端部１ｂで、開口部１００−１ｂ・１００−１ａ、１００−２ｂ・１００−２ａ、１００−３ｂ・１００−３ａに差し込み、かつその第４面２ａの内面（１ｃ）に固定する。
【００３２】
尚、例えば、止水パネル１の中段には、ラッチ機構３００が、上段と下段には係止体４、５がそれぞれ設けられており、前述の如く、ラッチ３の先端と、爪片４０１、５０１が、止水パネル１の第４面２ａより突出する。この突出したラッチ３の先端と、爪片４０１、５０１が、方立て６の係止孔８〜１０に差込まれ、かつ係止孔８〜１０の孔辺、棒材等の係止部８ａ〜１０ａに載架・係止等される。このように、止水パネル１にラッチ３のラッチ機構３００、及び係止体４、５の本体４００、５００を、それぞれ取付けることは、低コスト化、作業・組立て等の合理化、又は材料節約等に有益である。
【００３３】
後述するが、この爪片４０１、５０１の係止側４０１ａ、５０１ａは、本体４００、５００の下端より、先端に向かって、下向きに傾斜し、かつ細幅形態(本体４００・５００側の方向において細幅形態)に形成されている(傾斜片辺、楔形態である)。従って、係止側４０１ａ、５０１ａが係止部８ａ、１０ａを滑るように、自然に落し込まれる構造である。後述する図５−４から図５−５の形態である。
【００３４】
尚、ラッチ機構３００は、図５−２、図５−３に一例が図解されている。即ち、取付け本体を備えたケース３０１の部屋に前後動可能に設けた鍵形の操作杆３０２と、この操作杆３０２の端に設けたラッチ３と、この操作杆３０２の復帰を司るケース３０１内に設けたスプリング３０３とで構成されている。従って、操作杆３０２をイ方向に引っ張り、かつスプリング３０３を圧縮することで、ラッチ３がケース３０１内に沈み込み、逆に開放すると、スプリング３０３の反力でラッチ３がケース３０１より突出し、かつ止水パネル１の第４面２ａより突出する構造である。そして、このケース３０１の面（部屋の反対面）には、対のブラケット１１ｂ、１１ｂ１が間隔を置いて、面と直交する方向に設けられる。この対のブラケット１１ｂ、１１ｂ１は、止水パネル１の第３面２の外面と、第４面２ａの内面１ｃに、それぞれ取付ける。このように、一方のブラケット１１ｂは、止水パネル１の第３面２の外面に、他方のブラケット１１ｂ１は、第４面２ａの内面１ｃにそれぞれ取付けることと、このケース３０１にラッチ３が前進後退可能に取付けられていることと、ラッチ３が、差し込み初期において中段の係止孔９の上側に当接することから、自然な落し込みができ、併せて、後述するが、係止体４、５の一部と、その爪片４０１、５０１は、上段・下段の係止孔８・１０の係止部８ａ、１０ａを乗り越えながら、方立て６の空間内に差し込まれる（入り込む）。前記落し込みとともに、この爪片４０１、５０１の係止側４０１ａ、５０１ａが、係止部８ａ、１０ａの上側を滑り降りる構造である（自然な落し込みを利用し、簡易に固定することができる）。これによって、止水パネル１の第４面２ａが、方立て６の第１面７に密着して取り付け可能となる（図１とか、図３−１〜図３−３、又は図６等参照）。また、落し込み後では、止水パネル１の下側に設けた水密ゴム１５が、床面に圧縮され水密が確保される。また、その他の一例の箇所、例えば、方立て６、及び／又は、止水パネル１の間に設けられた水密ゴム１５ａは、この例では、図２、図３−１（イ）〜図３−３（ロ）等のように、方立て６に設けてあり、同時に圧縮される。図示しないが、水密ゴムは、床面、その他の箇所等に設けることも有り得る。尚、ラッチ３の前後動を規制するピン、爪、スリーブ等のロック機構は図示しない。
【００３５】
また、前述した、係止体４、５（原則として、共通するので、係止体４を主体として説明する）は、図５−４、図５−５に一例が図解されている。即ち、係止体４は、本体４００と、その先端に設けた爪片４０１であり、補強体４０２を一側面、及び／又は、両側面に設ける。そして、この本体４００の面には、対のブラケット１１ａ・１１ａ１、１１ｃ・１１ｃ１（以下、１１ａ・１１ａ１とする）が間隔を置いて、面と直交する方向に設けられる。この対のブラケット１１ａ・１１ａ１は、止水パネル１の第３面２の外面に、また、第４面２ａの内面１ｃに、それぞれ取付ける。この取付け後の状態は、前段落の説明を参照頂きたい。
【００３６】
前述の説明を基に、止水パネル１の取付けと、動きを説明すると、先ず、ラッチ３は、差し込み初期において係止孔９の上側面に当接するようにやや持ち上げることで、爪片４０１、５０１は、係止部８ａ、１０ａを乗り越えできる。そこで、ラッチ３を係止孔９に入れ込む（差し込む）ように、自然に落し込むと、爪片４０１、５０１の係止側４０１ａ、５０１ａは、係止部８ａ、１０ａの上側から滑り降りる。この滑り降りの後、ラッチ３は、前記当接から解除され、例えば、ラッチ３は、スプリング３０３で復帰するとともに、係止孔９に収まり、かつ係止部９ａに架承支持される。一方、滑り降りた係止体４、５の爪片４０１、５０１は、方立て６の空間と、係止部８ａ、１０ａに係止される。このように、ラッチ３と係止体４、５が、方立て６の係止孔８〜１０に収まり、図６の状態となる。かつ止水パネル１は、方立て６の第１面７に密着して取付け可能となる。水密ゴム１５、１５ａが圧縮（押圧）される。方立て６の第１面７と、止水パネル１の第４面２ａの十分な密着性が確保される。
【００３７】
そして、従来の、例えば、戸当り金物において、ハンドルの受けが付いた、パネルにハンドルが付いたタイプでは、パネルへのハンドルの取付けと、収納スペース（保管場所）が必要となる。しかし、本発明では、ハンドルの飛び出しもなく、省スペースで設置できることと、ハンドル付きパネルに対して、ハンドル、その他の部品もなく軽量化と、低コスト化等が図れる利点がある。また、方立て６の第１面７には、原則として、突起物がなく、人、物等の衝突とか、危険性等の回避に有益である。そして、例えば、ハンドルを無くすことで、一枚の止水パネルにおいて、ハンドルを最低で４個を取付けた場合に比し、少なくとも、２〜３ｋｇの軽量化が図れる。
【００３８】
この止水パネル１を取り外す場合には、ラッチ機構３００の操作杆３０２を引きラッチ３をケース３０１内に収めると、ラッチ３と係止部９ａの関係は外れる（載架解除となる）。そこで、止水パネル１を、少し持ち上げると、係止部８ａ、１０ａより、爪片４０１、５０１が離脱し、係止部８ａ、１０ａと爪片４０１、５０１の関係は外れる。以上の操作で、方立て６と止水パネル１の連繋がなくなり、方立て６と止水パネル１は切離しできる（分離される）。前記の載架の解除とこの分離を利用して、止水パネル１を、方立て６より引く抜くことで、例えば、ワンタッチで取り外し作業が終了する。
【００３９】
図７−１、図７−２に示した第２実施例を説明する。
【００４０】
この第２実施例は、上段・中段にそれぞれ設けた係止体４（又は５）と、下段に設けたラッチ３の構造であり、第１実施例と近似形で、ラッチ３が下段に、係止体４、５が上段、中段に変化した構造である。その他の構造と、使用方法（取付け、又は取外し等）は、前述の第１実施例に準ずるので、説明は割愛する。但し、ラッチ３と係止体４、５とに応じて、それぞれ係止孔８〜１０の長手方向（方立て６の縦方向）の長さは異なる。この場合、下段が方形孔で、上段・中段が長方形である。以下、この孔の形態に関しては、各実施例において説明を割愛する。
【００４１】
図８−１、図８−２に示した第３実施例を説明する。
【００４２】
この第３実施例は、上段に設けたラッチ３と、中段に設けた係止体４（又は５）の構造であり、最も簡易形である。その他の構造と、使用方法は、前述の第１・２実施例に準ずるので、説明は割愛する。
【００４３】
図９−１、図９−２に示した第４実施例を説明する。
【００４４】
この第４実施例は、上段・下段にそれぞれ設けたラッチ３（３）と、中段に設けた係止体４の構造であり、ラッチ３（３）と係止体４でなる他の複合形である。その他の構造と、使用方法（取付け、又は取外し等）は、前述の第１・２実施例に準ずるので、説明は割愛する。
【００４５】
図１０−１、図１０−２に示した第５実施例を説明する。
【００４６】
この第５実施例は、上段に設けたラッチ３と、中上段・中下段、及び下段にそれぞれ設けた係止体４（又は５、５−１）の構造であり、ラッチ３と係止体４〜５−１でなる複合形である。その他の構造と、使用方法（取付け、又は取外し等）は、前述の第１・２実施例に準ずるので、説明は割愛する。図中５００−１は係止体５−１の本体を、５０１−１は係止体５−１の爪片を、５０２は係止体５−１の補強体を、それぞれ示す。
【００４７】
前述した各実施例等は、本発明の好ましい一例の説明である。各実施例とか図面に限定されない。従って、発明の趣旨の範囲において構成の一部を変更する構造とか、同じ特徴と効果を達成できる構造、等は、本発明の範疇である。
【符号の説明】
【００４８】
１  止水パネル
１ａ・１ｂ  端部
１ｃ  内面
１００−１ａ・ｂ  開口部
１００−２ａ・ｂ  開口部
１００−３ａ・ｂ  開口部
２  第３面
２ａ  第４面
３  ラッチ
３０  ラッチ
３１  ラッチ
３００  ラッチ機構
３０１  ケース
３０２  操作杆
３０３  スプリング
４  係止体
４００  本体
４０１  爪片
４０１ａ  係止側
４０２  補強体
５  係止体
５００  本体
５０１  爪片
５０１ａ  係止側
５０２  補強体
５−１  係止体
５００−１  本体
５０１−１  爪片
５０２−１  補強体
６  方立て
７  第１面
７ａ  第２面
８  係止孔
８ａ  係止部
９  係止孔
９ａ  係止部
１０  係止孔
１０ａ  係止部
１１ａ〜１１ｃ  ブラケット
１１ａ１〜１１ｃ１  ブラケット
１５  水密ゴム
１５ａ  水密ゴム
１６  支持体
１７  ワイヤ
１８  係止杆
１９  係止受け
Ｘ  長手方向
【図１】
2020169441.tif 000003
【図２】
2020169441.tif 000004
【図３−１】
2020169441.tif 000005
【図３−２】
2020169441.tif 000006
【図３−３】
2020169441.tif 000007
【図４】
2020169441.tif 000008
【図５−１】
2020169441.tif 000009
【図５−２】
2020169441.tif 000010
【図５−３】
2020169441.tif 000011
【図５−４】
2020169441.tif 000012
【図５−５】
2020169441.tif 000013
【図６】
2020169441.tif 000014
【図７−１】
2020169441.tif 000015
【図７−２】
2020169441.tif 000016
【図８−１】
2020169441.tif 000017
【図８−２】
2020169441.tif 000018
【図９−１】
2020169441.tif 000019
【図９−２】
2020169441.tif 000020
【図１０−１】
2020169441.tif 000021
【図１０−２】
2020169441.tif 000022